(57)【要約】【課題】手元に引き戻す際の負荷を小さくすることのできる吸込口体と、この吸込口体を備えた電気掃除機を提供することにある。【解決手段】吸込口体１１の底面に吸込開口１２を有する吸込室１３を形成した吸込口体１１であって、吸込口体１１の底面の後部両端の角部を傾斜面１１Ａにした。【選択図】    図３
2004230031.tif 000002
【特許請求の範囲】
【請求項１】
底面に吸込開口を有する吸込室を形成した吸込口体であって、
前記吸込口体の底面の後部両端に傾斜面を設けたことを特徴とする吸込口体。
【請求項２】
前記吸込室内に回転自在に設けられた回転清掃体と、
この回転清掃体の回転軸を保持する軸受部を設けた軸受室と、
この軸受室と吸込室とを仕切るとともに前記回転軸が貫通される仕切壁と、
掃除機本体から戻される排気風を、前記吸込口体の後壁部の内側に沿うとともに前記傾斜面を通って前記軸受室へ流す案内風路とを備え、
前記軸受室に流された排気風が前記仕切壁と回転軸との間に形成された隙間を通って前記吸込室へ吸引されることを特徴とする請求項１に記載の吸込口体。
【請求項３】
請求項１または請求項２に記載の吸込口体を備えたアップライト型の電気掃除機。
【発明の詳細な説明】
【０００１】
【発明の属する技術分野】
この発明は、底面に吸込開口を有する吸込室を有する吸込口体と、この吸込口体を備えた主にアップライト型の電気掃除機に関する。
【０００２】
【従来の技術】
従来から、掃除機本体と吸込口体とを備えたアップライト型の電気掃除機が知られている（特許文献１参照）。
【０００３】
かかる電気掃除機は、掃除機本体に設けた電動送風機によって吸込口体から塵埃ととも空気を吸い込み、この吸い込んだ塵埃および空気は連通管を通って掃除機本体の集塵室に吸い込まれ、塵埃は集塵室に設けた集塵フィルタにより集塵され、空気は集塵フィルタを通って電動送風機の給気口へ吸い込まれて電動送風機の排気口から排気され、この排気口から排気された排気風は循環風路を介して吸込口体へ循環される。
【０００４】
【特許文献１】
特開２０００−１９７５９１
【０００５】
【発明が解決しようとする課題】
しかしながら、このようなアップライト型の電気掃除機にあっては、特に掃除機本体が吸込口体の後部の上に設けられていることにより、吸込口体の後部に掃除機本体の重さが加わり、さらに吸込口体の底面の後部両端が角張っているため、掃除の際に吸込口体を手元に引き戻すとき、被清掃面が絨毯などの場合、吸込口体が絨毯の毛足の中に入り込むような状態となるので、その引き戻すときの負荷が大きくなってしまうという問題があった。
【０００６】
この発明の目的は、手元に引き戻す際の負荷を小さくすることのできる吸込口体と、この吸込口体を備えた電気掃除機を提供することにある。
【０００７】
【課題を解決するための手段】
上記目的を達成するため、請求項１の発明は、底面に吸込開口を有する吸込室を形成した吸込口体であって、
前記吸込口体の底面の後部両端の角部を傾斜面にしたことを特徴とする。
【０００８】
【実施の形態】
以下、この発明に係わる電気掃除機の吸込口体の実施形態を図面に基づいて説明する。
【０００９】
図１において、１０はアップライト型の電気掃除機であり、この電気掃除機１０は、吸込口体１１と、この吸込口体１１の後部に前後に回動可能に設けられるとともに図示しない吸込風路と循環風路とを形成した支柱体４０と、この支柱体４０の上端に軸４４回りに回動可能に設けたハンドル４５と、支柱体４０に取り付けられた掃除機本体５０と、この掃除機本体５０の下部に着脱可能に装着されたダストカップ６０等とを備えている。
【００１０】
掃除機本体５０には図示しない電動送風機が設けらており、この電動送風機によって吸込口体１１から空気とともに塵埃を吸引し、この吸引された空気は支柱体４０の吸込風路を介してダストカップ６０内に導入され、このダストカップ６０内で生じる旋回流によって塵埃と空気とが分離され、分離された塵埃はダストカップ６０に溜まり、空気のみが掃除機本体５０の電動送風機の吸気口に吸引されていく。電動送風機に吸引された空気は電動送風機の排気口（図示せず）から排気され、この排気口から排気される排気風は支柱体４０の排気風路を介して吸込口体１１に循環される。
【００１１】
吸込口体１１は、図２および図３に示すように、底面に塵埃を吸い込む吸込開口１２を有する吸込室１３と、この吸込室１３内に回転自在に設けられた回転清掃体１４とを有する吸込口本体１１Ｈと、この吸込口本体１１Ｈの後部に設けられるとともに吸込室１３に連通した吸込風路部１５と、この吸込風路部１５の後部に前後方向に回動自在に設けた接続管１６等とを備えている。この接続管１６は２重管構造となっており、内側に吸込管部１６Ａが形成され、この吸込管部１６Ａの外側が排気管部１６Ｂとなっている。また、接続管１６は支柱体４０に接続されており、支柱体４０の吸込風路が吸込管部１６Ａに連通され、支柱体４０の排気風路が排気管部１６Ｂに連通されている。
【００１２】
また、吸込風路部１５の外側に排気風路部１７が形成され、この排気風路部１７には後輪Ｒが設けられている。
【００１３】
吸込口本体１１Ｈには、吸込室１３の後ろの左側に回路室１８が右側にモータ室１９がそれぞれ形成されている。回路室１８およびモータ室１９は排気風路部１７に連通し、モータ室１９と吸込室１３とを区画した区画壁２０には排気風を吸込室１３へ環流させる複数の吹出孔２０ａが形成されている。また、吸込口本体１１Ｈの底面の後部の両端部には、図３および図４に示すように傾斜面１１Ａが形成されている。この傾斜面１１Ａにより、回路室１８内には角部にいくほど高さが高くなり、その角部から遠ざかるに従って高さが低くなる（被清掃面に近づく）傾斜面１１ａが形成されている。そして、回路室１８の左端部は、図４の矢印Ｑに示す方向に排気風を流す案内風路１８Ａとなっており、この案内風路１８Ａは傾斜面１１ａを含む。
【００１４】
一方、モータ室１９には図２に示すようにモータＭが取り付けられており、回路室１８にはモータＭを制御するための制御回路（図示せず）を設けた図示しない回路基板が設けられている。モータＭの駆動軸Ｍａには駆動ギア２１が装着されている。
【００１５】
また、吸込口体１１には、吸込室１３の左側に軸受室２２と、吸込室１３の右側に軸受室２３とが設けられている。
【００１６】
軸受室２２は、図５に示すように、２つの仕切壁２４，２５によって吸込室１３と仕切られており、仕切壁２４，２５には軸孔２４Ａ，２５Ａが形成されている。また、軸受室２２には後述する軸保持部材３４を取り付ける軸受部２６が設けられている。また、回路室１８と軸受室２２とを区画した区画壁２７には回路室１８と軸受室２２とを連通する連通孔２７Ａが形成されている。この連通孔２７ＡにはフィルタＦが取り付けられている。
【００１７】
軸受室２３は、軸受室２２と同様に仕切壁２８，２９によって吸込室１３と仕切られており、仕切壁２８，２９には軸孔２８Ａ，２９Ａが形成されている。また、軸受室２３には後述する軸保持部材３５を取り付ける軸受部３０が形成されている。
【００１８】
回転清掃体１４は、左右方向に延びる回転軸１４Ａと、この回転軸１４Ａに螺旋状に形成したブレード１４Ｂおよびブラシ１４Ｃ等とを有している。そして、回転軸１４Ａの一端部（左端部）には筒状の軸カバー３１が装着され、回転軸１４Ａの他端部には筒状の軸カバー３２と従動ギア３３とが装着されている。回転軸１４Ａの一端部は軸カバー３１を貫通しており、この貫通した回転軸１４Ａの一端に軸保持部材３４が回転自在に取り付けられている。
【００１９】
また、回転軸１４Ａの他端部は軸カバー３２および従動ギアー３３を貫通しており、この貫通した回転軸１４Ａの他端に軸保持部材３５が回転自在に取り付けられている。そして、軸保持部材３４，３５により回転軸１４Ａが回転自在に保持され、軸保持部材３４，３５が軸受室２２，２３の軸受部２６，３０に取り付けられている。この軸受部２６，３０は軸保持部材３４，３５を介して回転軸１４Ａを回転自在に保持している。従動ギアー３３と駆動ギアー２１にはベルトＢが巻回されて、モータＭの駆動によって回転清掃体１４が回転していくようになっている。
【００２０】
軸カバー３１には、図５に示すように、２つのフランジ３１Ｆａ，３１Ｆｂが形成されており、この軸カバー３１が仕切壁２４，２５の軸孔２４Ａ，２５Ａを貫装している。そして、軸カバー３１のフランジ３１Ｆａ，３１Ｆｂと仕切壁２４，２５とが所定間隔をあけて互いに交互に配置されている。また、軸カバー３１の径が軸孔２４Ａ，２５Ａの径より小さく設定されていることにより、軸カバー３１と軸孔２４Ａ，２５Ａとの間に所定の隙間Ｓ，Ｓが形成され、この隙間Ｓ，Ｓを通って軸受室２２に導入された排気風が吸込室１３へ吸い込まれて循環するようになっている。
【００２１】
軸カバー３２には、２つのフランジ３２Ｆａ，３２Ｆｂが形成されており、この軸カバー３１が仕切壁２８，２９の軸孔２８Ａ，２９Ａを貫装している。そして、軸カバー３２のフランジ３２Ｆａ，３２Ｆｂと仕切壁２８，２９とが互いに交互に配置されている。軸カバー３２と軸孔２８Ａ，２９Ａとの間に形成される隙間は小さく設定されている。
【００２２】
次に、上記のように構成される電気掃除機１０の動作について説明する。
【００２３】
図示しない操作スイッチが操作されると電動送風機が駆動されとともに、モータＭが駆動される。このモータＭの駆動により回転清掃体１４が回転していき、この回転清掃体１４の回転により絨毯などに付着している塵埃が掻き上げられていく。
【００２４】
一方、電動送風機の駆動により吸込口体１１の吸込開口１２から回転清掃体１４によって掻き上げられた塵埃等が空気とともに吸込室１３へ吸引され、この吸引された塵埃および空気が吸込風路部１５，接続管１６の吸込管部１６Ａおよび支柱体４０の吸込風路を介してダストカップ６０内に導入される。このダストカップ６０内に導入された空気は旋回流となり、この旋回流によって塵埃と空気とが分離され、分離された塵埃はダストカップ６０に溜まり、空気のみがダストカップ６０の上部開口に設けた図示しないフィルタを介して掃除機本体５０の電動送風機の吸気口に吸引されていく。
【００２５】
電動送風機に吸引された空気は電動送風機の排気口から排気され、この排気口から排気された排気風は支柱体４０の排気風路，接続管１６の排気管部１６Ｂおよび吸込口体１１の排気風路部１７を介して回路室１８およびモータ室１９へ導入される。モータ室１９へ導入された排気風は区画壁２０の吹出孔２０ａから吸込室１３へ吸い込まれて循環する。
【００２６】
一方、回路室１８に導入された排気風は、区画壁２７の連通孔２７Ａを通って軸受室２２に導入され、軸受室２２に導入された排気風は軸カバー３１と仕切壁２４，２５の軸孔２４Ａ，２５Ａとの間の隙間Ｓ，Ｓを介して吸込室１３へ吸引されていく。
【００２７】
ところで、回転清掃体１４は、図４において反時計回りに回転することにより（ブレード１４Ｂおよびブラシ１４Ｃの螺旋方向が図２の左側から見て反時計回りになっていることにより）、塵埃が吸込室１３の左側へ寄せられていくが、軸カバー３１と仕切壁２４，２５の軸孔２４Ａ，２５Ａとの間の隙間Ｓ，Ｓから排気風が吹き出されているので、その隙間Ｓ，Ｓに糸クズなどが入り込んで軸カバー３１や回転軸１４Ａの一端部に絡まってしまうことが防止される。
【００２８】
また、回路室１８に導入された排気風は、回路基板に設けたサーミスタ（図示せず）を冷却して、図５の矢印Ｑに示す方向に流れて軸受室２２に導入されるが、案内風路１８Ａの傾斜面１１ａにより、排気風はその傾斜面１１ａに案内されて軸受室２２へ効率良く流れていく。このため、サーミスタを冷却する僅かな排気風であっても隙間Ｓ，Ｓから排気風を効率よく吹き出させることができ、糸クズの絡まりを確実に防止することができる。
【００２９】
掃除中に吸込口体１１を前後に移動させるが、その吸込口体１１を後方に移動させるとき、すなわち吸込口体１１を手元に引き戻すとき、吸込口本体１１Ｈの底面の後部の両端部に傾斜面１１Ａを形成したことにより、その引き戻し操作時に吸込口本体１１Ａが絨毯の毛足の中に入り込むことが防止され、このためその引き戻し操作時の負荷が小さくなり、その操作は大変し易いものとなる。
【００３０】
また、床面の掃除中の際に吸込口体１１の向きを変えるとき、吸込口体１１の底面の後部の一端側が床に当接して床を傷つけてしまうことを防止することができる。
【００３１】
上記実施形態では、吸込口本体１１Ｈに傾斜面１１Ａを設けているが、角部に大きなＲを設けてもよい。また、アップライト型の電気掃除機の吸込口体について説明したが、キャニスタ型の電気掃除機の吸込口体であってもよく、循環式の吸込口体でなくてもよい。
【００３２】
【発明の効果】
以上説明したように、この発明によれば、吸込口体の引き戻し操作時の負荷が小さくなり、その操作は大変し易いものとなる。
【図面の簡単な説明】
【図１】この発明に係るアップライト型の電気掃除機の外観を示した斜視図である。
【図２】図１に示す電気掃除機の吸込口体の構成を示した平断面図である。
【図３】図２の吸込口体の底面図である。
【図４】図３に示す吸込口本体の横断面図である。
【図５】図２の吸込口体の一部を拡大した部分拡大図である。
【符号の説明】
１１            吸込口体
１１Ａ        傾斜面
１２      吸込開口
１３            吸込室
【図１】
2004230031.tif 000003
【図２】
2004230031.tif 000004
【図３】
2004230031.tif 000005
【図４】
2004230031.tif 000006
【図５】
2004230031.tif 000007